(57)【要約】【課題】近年、特に女性を中心にファッションの一部として爪の装飾が一般的に行われるようになっているが、従来の固定方法では保持力が十分でなく、特に付け爪自身が高価なものとなる貴金属を用いた装飾用爪、或いは宝石や貴石を用いた装飾用爪が剥落、紛失する危険性が高かった。【解決手段】飾用爪は少なくとも貴金属或いは貴金属を含む合金により形成された部材を含み、該装飾用爪は手指の爪に略同形の部分と、該手指の爪に略同形の部分の側面に配置される複数の固定用突起を有し、該固定用突起を手指の爪の側面に掛けることにより装飾用爪を係留する。【選択図】図１
2016097027.tif 000002
【特許請求の範囲】
【請求項１】
手指の爪に装着する装飾用爪であって、
該装飾用爪は少なくとも貴金属或いは貴金属を含む合金により形成された部材を含み、
該装飾用爪は手指の爪に略同形の部分と、
該手指の爪に略同形の部分の側面に配置される複数の固定用突起を有し、
該固定用突起を手指の爪の側面に掛けることにより装飾用爪を係留することを特徴とする、
手指の爪に装着する装飾用爪。
【請求項２】
該装飾用爪は、
各種金属或いはプラスチックからなる台部と
少なくとも貴金属或いは貴金属を含む合金により形成された表面部材からなることを特徴とする、
請求項１記載の手指の爪に装着する装飾用爪。
【請求項３】
該装飾用爪の該手指の爪に略同形の部分の側面に配置される複数の固定用突起は、
略三角錐状の形状を有することを特徴とする、
請求項１又は２記載の手指の爪に装着する装飾用爪。
【請求項４】
該装飾用爪の該手指の爪に略同形の部分の側面に配置される複数の固定用突起は、
略台形状の形状を有することを特徴とする、
請求項１又は２記載の手指の爪に装着する装飾用爪。
【請求項５】
該装飾用爪の該手指の爪に略同形の部分の側面に配置される複数の固定用突起は、
略円錐状の形状を有することを特徴とする、
請求項１又は２記載の手指の爪に装着する装飾用爪。
【請求項６】
該装飾用爪の該手指の爪に略同形の部分の側面に配置される固定用突起は、
該側面の爪先側にあたる上端と爪の生え際にあたる下端との間に設置され、
該設置位置は上端から３０％以上９０％以下の位置にあることを特徴とする、
請求項１乃至５記載の手指の爪に装着する装飾用爪。
【請求項７】
該装飾用爪の該手指の爪に略同形の部分の側面に配置される固定用突起は、
該側面の爪先側にあたる上端と爪の生え際にあたる下端との間に設置され、
該設置位置は上端から４５％以上７０％以下の位置にあることを特徴とする、
請求項６記載の手指の爪に装着する装飾用爪。
【請求項８】
該装飾用爪の該手指の爪に略同形の部分の側面に配置される複数の固定用突起は、
高さが０．１mm以上１mm以下であることを特徴とする、
請求項１乃至７記載の手指の爪に装着する装飾用爪。
【請求項９】
該装飾用爪の該手指の爪に略同形の部分の側面に配置される複数の固定用突起は、
高さが０．３mm以上０．８mm以下であることを特徴とする、
請求項８記載の手指の爪に装着する装飾用爪。
【請求項１０】
該装飾用爪の該手指の爪に略同形の部分の側面に配置される固定用突起は、
両側に２箇所づつ設置されてなることを特徴とする、
請求項１乃至９記載の手指の爪に装着する装飾用爪。
【請求項１１】
該装飾用爪は、
手指の爪の表面に塗布し硬化させて形成する樹脂層の上に設置されてなることを特徴とする、
請求項１乃至１０記載の手指の爪に装着する装飾用爪。
【請求項１２】
手指の爪に装着する装飾用爪の装着方法であって、
該装飾用爪は少なくとも貴金属或いは貴金属を含む合金により形成された部材を含み、
該装飾用爪は手指の爪に略同形の部分と、
該手指の爪に略同形の部分の側面に配置される複数の固定用突起を有し、
該固定用突起を手指の爪の側面に掛けることにより装飾用爪を係留することを特徴とする、
手指の爪に装着する装飾用爪の装着方法。
【請求項１３】
該装飾用爪は、
各種金属或いはプラスチックからなる台部と
少なくとも貴金属或いは貴金属を含む合金により形成された表面部材からなることを特徴とする、
請求項１２記載の手指の爪に装着する装飾用爪の装着方法。
【請求項１４】
該装飾用爪の該手指の爪に略同形の部分の側面に配置される複数の固定用突起は、
略三角錐状の形状を有することを特徴とする、
請求項１２又は１３記載の手指の爪に装着する装飾用爪の装着方法。
【請求項１５】
該装飾用爪の該手指の爪に略同形の部分の側面に配置される複数の固定用突起は、
略台形状の形状を有することを特徴とする、
請求項１２又は１３記載の手指の爪に装着する装飾用爪の装着方法。
【請求項１６】
該装飾用爪の該手指の爪に略同形の部分の側面に配置される複数の固定用突起は、
略円錐状の形状を有することを特徴とする、
請求項１２又は１３記載の手指の爪に装着する装飾用爪の装着方法。
【請求項１７】
該装飾用爪の該手指の爪に略同形の部分の側面に配置される固定用突起は、
該側面の爪先側にあたる上端と爪の生え際にあたる下端との間に設置され、
該設置位置は上端から３０％以上９０％以下の位置にあることを特徴とする、
請求項１２乃至１６記載の手指の爪に装着する装飾用爪の装着方法。
【請求項１８】
該装飾用爪の該手指の爪に略同形の部分の側面に配置される固定用突起は、
該側面の爪先側にあたる上端と爪の生え際にあたる下端との間に設置され、
該設置位置は上端から４５％以上７０％以下の位置にあることを特徴とする、
請求項１７記載の手指の爪に装着する装飾用爪の装着方法。
【請求項１９】
該装飾用爪の該手指の爪に略同形の部分の側面に配置される複数の固定用突起は、
高さが０．１mm以上１mm以下であることを特徴とする、
請求項１２乃至１８記載の手指の爪に装着する装飾用爪の装着方法。
【請求項２０】
該装飾用爪の該手指の爪に略同形の部分の側面に配置される複数の固定用突起は、
高さが０．３mm以上０．８mm以下であることを特徴とする、
請求項１９記載の手指の爪に装着する装飾用爪の装着方法。
【請求項２１】
該装飾用爪の該手指の爪に略同形の部分の側面に配置される固定用突起は、
両側に２箇所づつ設置されてなることを特徴とする、
請求項１２乃至２０記載の手指の爪に装着する装飾用爪の装着方法。
【請求項２２】
該装飾用爪の装着にあたっては、
固定用突起に夜保持に加えて該装飾用爪の裏面と爪の表面の間に接着剤を注入することを特徴とする、
請求項１１乃至２０記載の手指の爪に装着する装飾用爪の装着方法。
【請求項２３】
該装飾用爪の装着にあたっては、
固定用突起に夜保持に加えて該装飾用爪の裏面と爪の表面の間に両面テープを介在することを特徴とする、
請求項１２乃至２２記載の手指の爪に装着する装飾用爪の装着方法。
【請求項２４】
該装飾用爪は、
手指の爪の表面に塗布し硬化させて形成する樹脂層の上に設置されてなることを特徴とする、
請求項１２乃至２３記載の手指の爪に装着する装飾用爪の装着方法。
【請求項２５】
該樹脂層は、
手指の爪の表面に塗布した後に紫外線照射器にて硬化させて形成されたことを特徴とする、
請求項２４記載の手指の爪に装着する装飾用爪の装着方法。
【請求項２６】
該樹脂層は複数層からなり、
主に爪表面の保護に資する下塗り層と、
主に装飾的な効果をもたらす表面層とを有することを特徴とする、
請求項２４又は２５記載の手指の爪に装着する装飾用爪の装着方法。
【請求項２７】
該樹脂層は複数層からなり、
該表面層は着色され、或いは金属粉等の装飾物を含み、或いは複数色にて画像が形成されてなることを特徴とする、
請求項２６記載の手指の爪に装着する装飾用爪の装着方法。
【発明の詳細な説明】
【技術分野】
【０００１】
本発明は、特に貴金属を用いた装飾用爪及びその装着方法に関するものである。
【背景技術】
【０００２】
近年、特に女性を中心にファッションの一部として爪の装飾が一般的に行われるようになっている。その中でも、以前はマニキュアによる被覆着色、光沢の付与などが主流であったが、近年はより装飾的な手法が開発され、爪の表面に模様を描いたり、金属粉等を付着させて装飾とすることもなされている。
【０００３】
さらに、爪の表面に彩色等をするだけでなく、付け爪を用いることも一般化してきている。これは、通常の爪よりも特に長さを延長することが出来、視覚的効果を高めることが可能だからである。
【０００４】
また、爪に直接接着する、或いは付け爪に装着する、といった方法で宝石、貴石、或いは貴金属を用いた装飾物を用いることも行われている。（特許文献１、特許文献４）
【０００５】
ここで、これら付け爪の装着にあたっては一般に、爪と付け爪の間を両面接着テープで接着する（特許文献３）、或いは爪と付け爪の間に接着剤を流し込み接着する（特許文献５）、磁石を用いて固定する（特許文献２）、といった方法で固定していた。
【先行技術文献】
【特許文献】
【０００６】
【特許文献１】特開２０１１ー１１５５６５号公報
【特許文献２】特開２０１１ー１２５４３２号公報
【特許文献３】特開２０１１ー２５０９１１号公報
【特許文献４】特開２０１４ー６１２２１号公報
【特許文献５】特開２０１３ー２４４１４１号公報
【発明の概要】
【発明が解決しようとする課題】
【０００７】
しかしながら、付け爪を爪と付け爪の間を両面接着テープで接着する（特許文献３）、或いは爪と付け爪の間に接着剤を流し込み接着する（特許文献５）、磁石を用いて固定する（特許文献２）、といった方法で固定した場合、保持力が十分でなく、特に付け爪自身が高価なものとなる貴金属を用いた装飾用爪、或いは宝石や貴石を用いた装飾用爪が剥落、紛失する危険性が高かった。
【０００８】
本発明は、この課題を解決せんとしてなされたものである。
【課題を解決するための手段】
【０００９】
本発明は、手指の爪に装着する装飾用爪であって、
該装飾用爪は少なくとも貴金属或いは貴金属を含む合金により形成された部材を含み、
該装飾用爪は手指の爪に略同形の部分と、
該手指の爪に略同形の部分の側面に配置される複数の固定用突起を有し、
該固定用突起を手指の爪の側面に掛けることにより装飾用爪を係留することを特徴とする。
【００１０】
また、本発明は、手指の爪に装着する装飾用爪の装着方法であって、
該装飾用爪は少なくとも貴金属或いは貴金属を含む合金により形成された部材を含み、
該装飾用爪は手指の爪に略同形の部分と、
該手指の爪に略同形の部分の側面に配置される複数の固定用突起を有し、
該固定用突起を手指の爪の側面に掛けることにより装飾用爪を係留することを特徴とする。
【発明の効果】
【００１１】
本発明の手指の爪に装着する装飾用爪及び手指の爪に装着する装飾用爪の装着方法は、簡便な構成で付け爪自身が高価なものとなる貴金属を用いた装飾用爪、或いは宝石や貴石を用いた装飾用爪が剥落、紛失する危険性を減少させ、安心して貴金属等を用いた装飾用爪を利用できるようにするという利点がある。
【図面の簡単な説明】
【００１２】
【図１】図１は、本発明にかかる手指の爪に装着する装飾用爪において、貴金属を含む装飾用爪を装着した状態を示す図面代用写真である。
【図２】図２は、発明にかかる手指の爪に装着する装飾用爪の一例の表面の図面代用写真である。
【図３】図３は、本発明にかかる手指の爪に装着する装飾用爪の一例の裏面の図面代用写真である。
【発明を実施するための形態】
【００１３】
本発明の手指の爪に装着する装飾用爪は、手指の爪に装着する装飾用爪であって、
該装飾用爪は少なくとも貴金属或いは貴金属を含む合金により形成された部材を含み、
該装飾用爪は手指の爪に略同形の部分と、
該手指の爪に略同形の部分の側面に配置される複数の固定用突起を有し、
該固定用突起を手指の爪の側面に掛けることにより装飾用爪を係留することを特徴とする。
【００１４】
また、本発明の手指の爪に装着する装飾用爪は、各種金属或いはプラスチックからなる台部と
少なくとも貴金属或いは貴金属を含む合金により形成された表面部材からなることを特徴とする。
【００１５】
また、本発明の手指の爪に装着する装飾用爪は、該装飾用爪の該手指の爪に略同形の部分の側面に配置される複数の固定用突起が、
略三角錐状の形状を有することを特徴とする。
【００１６】
また、本発明の手指の爪に装着する装飾用爪は、該装飾用爪の該手指の爪に略同形の部分の側面に配置される複数の固定用突起が、
略台形状の形状を有することを特徴とする。
【００１７】
また、本発明の手指の爪に装着する装飾用爪は、該装飾用爪の該手指の爪に略同形の部分の側面に配置される複数の固定用突起が、
略円錐状の形状を有することを特徴とする。
【００１８】
また、本発明の手指の爪に装着する装飾用爪は、該装飾用爪の該手指の爪に略同形の部分の側面に配置される固定用突起が、
該側面の爪先側にあたる上端と爪の生え際にあたる下端との間に設置され、
該設置位置は上端から３０％以上９０％以下の位置にあることを特徴とする。
【００１９】
また、本発明の手指の爪に装着する装飾用爪は、該装飾用爪の該手指の爪に略同形の部分の側面に配置される固定用突起が、
該側面の爪先側にあたる上端と爪の生え際にあたる下端との間に設置され、
該設置位置は上端から４５％以上７０％以下の位置にあることを特徴とする。
【００２０】
また、本発明の手指の爪に装着する装飾用爪は、該装飾用爪の該手指の爪に略同形の部分の側面に配置される複数の固定用突起の高さが０．１mm以上１mm以下であることを特徴とする。
【００２１】
また、本発明の手指の爪に装着する装飾用爪は、該装飾用爪の該手指の爪に略同形の部分の側面に配置される複数の固定用突起の高さが０．３mm以上０．８mm以下であることを特徴とする。
【００２２】
また、本発明の手指の爪に装着する装飾用爪は、該装飾用爪の該手指の爪に略同形の部分の側面に配置される固定用突起が、
両側に２箇所づつ設置されてなることを特徴とする。
【００２３】
また、本発明の手指の爪に装着する装飾用爪は、
手指の爪の表面に塗布し硬化させて形成する樹脂層の上に設置されてなることを特徴とする。
【００２４】
本発明にかかる、手指の爪に装着する装飾用爪の装着方法は、
該装飾用爪が少なくとも貴金属或いは貴金属を含む合金により形成された部材を含み、
該装飾用爪は手指の爪に略同形の部分と、
該手指の爪に略同形の部分の側面に配置される複数の固定用突起を有し、
該固定用突起を手指の爪の側面に掛けることにより装飾用爪を係留することを特徴とする。
【００２５】
また、本発明の手指の爪に装着する装飾用爪の装着方法は、該装飾用爪が、
各種金属或いはプラスチックからなる台部と
少なくとも貴金属或いは貴金属を含む合金により形成された表面部材からなることを特徴とする。
【００２６】
また、本発明の手指の爪に装着する装飾用爪の装着方法は、該装飾用爪が、
該装飾用爪の該手指の爪に略同形の部分の側面に配置される複数の固定用突起が、
略三角錐状の形状を有することを特徴とする。
【００２７】
また、本発明の手指の爪に装着する装飾用爪の装着方法は、該装飾用爪が、
該装飾用爪の該手指の爪に略同形の部分の側面に配置される複数の固定用突起が、
略台形状の形状を有することを特徴とする。
【００２８】
また、本発明の手指の爪に装着する装飾用爪の装着方法は、該装飾用爪が、
該装飾用爪の該手指の爪に略同形の部分の側面に配置される複数の固定用突起が、
略三角錐状の形状を有することを特徴とする。
【００２９】
また、本発明の手指の爪に装着する装飾用爪の装着方法は、該装飾用爪が、
該装飾用爪の該手指の爪に略同形の部分の側面に配置される固定用突起が、
該側面の爪先側にあたる上端と爪の生え際にあたる下端との間に設置され、
該設置位置は上端から３０％以上９０％以下の位置にあることを特徴とする。
【００３０】
また、本発明の手指の爪に装着する装飾用爪の装着方法は、該装飾用爪が、
該装飾用爪の該手指の爪に略同形の部分の側面に配置される固定用突起が、
該側面の爪先側にあたる上端と爪の生え際にあたる下端との間に設置され、
該設置位置は上端から４５％以上７０％以下の位置にあることを特徴とする。
【００３１】
また、本発明の手指の爪に装着する装飾用爪の装着方法は、該装飾用爪が、
該装飾用爪の該手指の爪に略同形の部分の側面に配置される複数の固定用突起の、
高さが０．１mm以上１mm以下であることを特徴とする。
【００３２】
また、本発明の手指の爪に装着する装飾用爪の装着方法は、該装飾用爪が、
該装飾用爪の該手指の爪に略同形の部分の側面に配置される複数の固定用突起の、
高さが０．３mm以上０．８mm以下であることを特徴とする。
【００３３】
また、本発明の手指の爪に装着する装飾用爪の装着方法は、該装飾用爪が、
該装飾用爪の該手指の爪に略同形の部分の側面に配置される固定用突起が、
両側に２箇所づつ設置されてなることを特徴とする。
【００３４】
また、本発明の手指の爪に装着する装飾用爪の装着方法は、
該装飾用爪の装着にあたっては、
固定用突起に夜保持に加えて該装飾用爪の裏面と爪の表面の間に接着剤を注入することを特徴とする。
【００３５】
また、本発明の手指の爪に装着する装飾用爪の装着方法は、
該装飾用爪の装着にあたっては、
固定用突起に夜保持に加えて該装飾用爪の裏面と爪の表面の間に両面テープを介在することを特徴とする。
【００３６】
また、本発明の手指の爪に装着する装飾用爪の装着方法は、該装飾用爪が、
手指の爪の表面に塗布し硬化させて形成する樹脂層の上に設置されてなることを特徴とする。
【００３７】
また、本発明の手指の爪に装着する装飾用爪の装着方法は、
該樹脂層が、
手指の爪の表面に塗布した後に紫外線照射器にて硬化させて形成されたことを特徴とする。
【００３８】
また、本発明の手指の爪に装着する装飾用爪の装着方法は、
該樹脂層は複数層からなり、
主に爪表面の保護に資する下塗り層と、
主に装飾的な効果をもたらす表面層とを有することを特徴とする。
【００３９】
また、本発明の手指の爪に装着する装飾用爪の装着方法は、
該樹脂層は複数層からなり、
該表面層は着色され、或いは金属粉等の装飾物を含み、或いは複数色にて画像が形成されてなることを特徴とする。
【実施例１】
【００４０】
以下、本発明にかかる手指の爪に装着する装飾用爪及びその装着方法について、図面を用いて詳細に説明する。
【００４１】
図１は、本発明にかかる手指の爪に装着する装飾用爪において、貴金属を含む装飾用爪を装着した状態を示す図面代用写真である。本実施例における装飾用爪は、素材に１８金を用いた。貴金属を含む装飾用爪は光沢が強く高級感があり、装飾的効果が大きいが、それ自身が高価であるため、剥落紛失のリスクを最小にする必要がある。
【００４２】
従来一般に、付け爪の装着にあたっては一般に、爪と付け爪の間を両面接着テープで接着する、或いは爪と付け爪の間に接着剤を流し込み接着する、磁石を用いて固定する、といった方法で固定していたが、これらは貴金属を含む装飾用爪や宝石 ・貴石等を用いた高価な装飾用爪の装着には不安があった。
【００４３】
そこで筆者は、人の手指の爪の形状を研究し、装飾用爪に手指の爪に略同形の部分と手指の爪に略同形の部分の側面に配置される複数の固定用突起を形成し、固定用突起を手指の爪の側面に掛けることにより装飾用爪を係留することにより、簡便な構成で付け爪自身が高価なものとなる貴金属を用いた装飾用爪、或いは宝石や貴石を用いた装飾用爪が剥落、紛失する危険性を減少させ、安心して貴金属等を用いた装飾用爪を利用できるようにして、本発明を完成したのである。
【００４４】
図２は本発明にかかる手指の爪に装着する装飾用爪の一例の表面の図面代用写真であり、図３は本発明にかかる手指の爪に装着する装飾用爪の一例の裏面の図面代用写真である。本発明にかかる手指の爪に装着する装飾用爪は、手指の爪に装着する装飾用爪であって、該装飾用爪は少なくとも貴金属或いは貴金属を含む合金により形成された部材を含み、該装飾用爪は手指の爪に略同形の部分と、該手指の爪に略同形の部分の側面に配置される複数の固定用突起を有し、該固定用突起を手指の爪の側面に掛けることにより装飾用爪を係留することを特徴とする。突起部は図３中の１に示される部分である。
【００４５】
前記突起部が手指の爪の側面を保持することにより、簡便な構成で付け爪自身が高価なものとなる貴金属を用いた装飾用爪、或いは宝石や貴石を用いた装飾用爪が剥落、紛失する危険性を減少させ、安心して貴金属等を用いた装飾用爪を利用できるようになり、安心して爪自身が高価なものとなる貴金属を用いた装飾用爪、或いは宝石や貴石を用いた装飾用爪を使用できるようになり、その用途の拡大に寄与することができる。
【００４６】
ここで、発明の手指の爪に装着する装飾用爪は、各種金属或いはプラスチックからなる台部と
少なくとも貴金属或いは貴金属を含む合金により形成された表面部材から構成されると良い。
【００４７】
本発明の手指の爪に装着する装飾用爪は、該装飾用爪の該手指の爪に略同形の部分の側面に配置される複数の固定用突起が、略三角錐状の形状を有することが望ましい。また、側面に配置される複数の固定用突起の形状は略台形状或いは略円錐状の形状を有することも望ましい。これらの形状により、手指の爪への負担が少なく、且つ装飾用爪が剥落、紛失する危険性を減少させることができる。
【００４８】
本発明の手指の爪に装着する装飾用爪は、該側面の爪先側にあたる上端と爪の生え際にあたる下端との間に設置され、該設置位置は上端から３０％以上９０％以下の位置にあることが望ましい。また、該設置位置は上端から４５％以上７０％以下の位置にあることがさらに望ましい。これらにより、手指の爪への負担が少なく、且つ装飾用爪が剥落、紛失する危険性を減少させることができる。
【００４９】
本発明の手指の爪に装着する装飾用爪は、該装飾用爪の該手指の爪に略同形の部分の側面に配置される複数の固定用突起の高さが０．１mm以上１mm以下であることが望ましい。また、該複数の固定用突起の高さが０．３mm以上０．８mm以下であることがさらに望ましい。これらにより、手指の爪への負担が少なく、且つ装飾用爪が剥落、紛失する危険性を減少させることができる。
【００５０】
本発明の手指の爪に装着する装飾用爪は、該装飾用爪の該手指の爪に略同形の部分の側面に配置される固定用突起が、両側に２箇所づつ設置されることが望ましい。これらにより、手指の爪への負担が少なく、且つ装飾用爪が剥落、紛失する危険性を減少させることができる。
【００５１】
また、本発明の手指の爪に装着する装飾用爪は、手指の爪の表面に塗布し硬化させて形成する樹脂層の上に設置することも有効である。これは、所謂ジェルネイルの上に装着する装飾用爪である。本発明にかかる手指の爪に装着する装飾用爪は、接着剤等で補助的に補強固定することはあるが通常は裏面の突起部により充分なこれ位保持効果を有するため、抜き差しにより簡単に着脱できる。よって、このようにジェルネイルの上に装着すればその着脱によって異なった装飾効果を瞬時に得ることができるようになる。
【００５２】
本発明の手指の爪に装着する装飾用爪の装着方法は、該装飾用爪が少なくとも貴金属或いは貴金属を含む合金により形成された部材を含み、該装飾用爪は手指の爪に略同形の部分と、該手指の爪に略同形の部分の側面に配置される複数の固定用突起を有し、該固定用突起を手指の爪の側面に掛けることにより装飾用爪を係留することを特徴とする。
【００５３】
装着した状態を示す図面代用写真は図１の通りである。本発明の方法は、簡便な構成で付け爪自身が高価なものとなる貴金属を用いた装飾用爪、或いは宝石や貴石を用いた装飾用爪が剥落、紛失する危険性を減少させ、安心して貴金属等を用いた装飾用爪を利用できるようになり、安心して爪自身が高価なものとなる貴金属を用いた装飾用爪、或いは宝石や貴石を用いた装飾用爪を使用できるようになり、その用途の拡大に寄与することができる。
【００５４】
ここで、発明の手指の爪に装着する装飾用爪の装着方法においては、各種金属或いはプラスチックからなる台部と少なくとも貴金属或いは貴金属を含む合金により形成された表面部材から構成されると良い。
【００５５】
本発明の手指の爪に装着する装飾用爪の装着方法においては、該装飾用爪の該手指の爪に略同形の部分の側面に配置される複数の固定用突起が、略三角錐状の形状を有することが望ましい。また、側面に配置される複数の固定用突起の形状は略台形状或いは略円錐状の形状を有することも望ましい。これらの形状により、手指の爪への負担が少なく、且つ装飾用爪が剥落、紛失する危険性を減少させることができる。
【００５６】
本発明の手指の爪に装着する装飾用爪の装着方法においては、該側面の爪先側にあたる上端と爪の生え際にあたる下端との間に設置され、該設置位置は上端から３０％以上９０％以下の位置にあることが望ましい。また、該設置位置は上端から４５％以上７０％以下の位置にあることがさらに望ましい。これらにより、手指の爪への負担が少なく、且つ装飾用爪が剥落、紛失する危険性を減少させることができる。
【００５７】
本発明の手指の爪に装着する装飾用爪の装着方法においては、該装飾用爪の該手指の爪に略同形の部分の側面に配置される複数の固定用突起の高さが０．１mm以上１mm以下であることが望ましい。また、該複数の固定用突起の高さが０．３mm以上０．８mm以下であることがさらに望ましい。これらにより、手指の爪への負担が少なく、且つ装飾用爪が剥落、紛失する危険性を減少させることができる。
【００５８】
本発明の手指の爪に装着する装飾用爪の装着方法においては、該装飾用爪の該手指の爪に略同形の部分の側面に配置される固定用突起が、両側に２箇所づつ設置されることが望ましい。これらにより、手指の爪への負担が少なく、且つ装飾用爪が剥落、紛失する危険性を減少させることができる。
【００５９】
また、本発明の手指の爪に装着する装飾用爪の装着方法においては、該装飾用爪の装着にあたっては、
固定用突起に夜保持に加えて該装飾用爪の裏面と爪の表面の間に接着剤を注入することにより、或いは固定用突起に夜保持に加えて該装飾用爪の裏面と爪の表面の間に両面テープを介在することにより、固定保持効果を補強することも有効である。これらにより、手指の爪への負担が少なく、且つ装飾用爪が剥落、紛失する危険性を減少させることができる。
【００６０】
また、本発明の手指の爪に装着する装飾用爪は、手指の爪の表面に塗布し硬化させて形成する樹脂層の上に設置することも有効である。該樹脂層は手指の爪の表面に塗布した後に紫外線照射器にて硬化させて形成されたものを用いることができ、特に該樹脂層は複数層からなり、主に爪表面の保護に資する下塗り層と、
主に装飾的な効果をもたらす表面層とを有するものが好適に用いられる。また、該樹脂層は複数層からなり、該表面層は着色され、或いは金属粉等の装飾物を含み、或いは複数色にて画像が形成されてなるものも用いることができる。これは、所謂ジェルネイルの上に装着する装飾用爪である。本発明にかかる手指の爪に装着する装飾用爪は、接着剤等で補助的に補強固定することはあるが通常は裏面の突起部により充分なこれ位保持効果を有するため、抜き差しにより簡単に着脱できる。よって、このようにジェルネイルの上に装着すればその着脱によって異なった装飾効果を瞬時に得ることができるようになる。
【産業上の利用可能性】
【００６１】
以上述べてきたように、本発明の手指の爪に装着する装飾用爪及び手指の爪に装着する装飾用爪の装着方法は、簡便な構成で付け爪自身が高価なものとなる貴金属を用いた装飾用爪、或いは宝石や貴石を用いた装飾用爪が剥落、紛失する危険性を減少させ、安心して貴金属等を用いた装飾用爪を利用できるようにすることができ、もってその普及に資し、産業的にも利用価値の大きなものであると言える。
【符号の説明】
【００６２】
１    突起部
【図１】
2016097027.tif 000003
【図２】
2016097027.tif 000004
【図３】
2016097027.tif 000005